(57)【特許請求の範囲】
【請求項１】
ワイヤレスネットワークにおける基地局の位置を決定する方法であって、
前記基地局からの共通のクライアントタイプの値を含む測位要求を、前記基地局から受信することと、ここにおいて、前記共通のクライアントタイプの値は、前記基地局を基地局であると識別するが、前記基地局を前記ワイヤレスネットワークに属する他の基地局と区別しない共通の予約済みＩＭＳＩまたはＩＭＥＩ値である、
前記共通のクライアントタイプの値に基づいて測位方法を決定することと、ここにおいて、前記測位方法は、全地球航法衛星システム（ＧＮＳＳ）測定または地上ネットワーク測定のいずれかを利用する、
前記測位方法に基づいて、前記基地局に測位応答を送ることと、
前記基地局から測位情報を受信することと、ここにおいて、前記測位情報は、ＧＮＳＳ測定または地上ネットワーク測定のいずれかを含む、
前記測位情報に基づいて、前記基地局の前記位置を決定することと、
前記基地局の前記位置を記憶することと、
を備える方法。
【請求項２】
前記基地局は、ホームノードＢ（ＨＮＢ）である、請求項１に記載の方法。
【請求項３】
前記測位方法は、観測到達時間差（ＯＴＤＯＡ）測定を利用し、前記測位情報は、前記ＯＴＤＯＡ測定を含む、請求項１に記載の方法。
【請求項４】
前記測位方法は、拡張セルＩＤ（Ｅ−ＣＩＤ）測定を利用し、前記測位情報は、前記Ｅ−ＣＩＤ測定を含む、請求項１に記載の方法。
【請求項５】
ワイヤレスネットワークにおける基地局の位置を決定する方法であって、
共通のクライアントタイプの値を含む測位要求をサーバに送ることと、ここにおいて、前記共通のクライアントタイプの値は、前記基地局を基地局であると識別するが、前記基地局を前記ワイヤレスネットワークに属する他の基地局と区別しない共通の予約済みＩＭＳＩまたはＩＭＥＩ値である、
前記サーバから測位応答を受信することと、ここにおいて、前記測位応答は、前記共通のクライアントタイプの値と関連する測位方法に基づく、
前記測位方法が前記基地局によってサポートされるかどうかを決定することと、
前記測位方法がサポートされない場合、測位起動失敗メッセージを送ることと、
前記測位方法が前記基地局によってサポートされる場合、測位情報を捕捉することと、
前記サーバに前記測位情報を送ることと、
を備える方法。
【請求項６】
前記サーバから、前記基地局の前記位置を受信することをさらに備える、請求項５に記載の方法。
【請求項７】
前記基地局は、ホームノードＢ（ＨＮＢ）である、請求項５に記載の方法。
【請求項８】
前記測位応答は、観測到達時間差（ＯＴＤＯＡ）測定の要求を含む、請求項５に記載の方法。
【請求項９】
前記測位応答は、拡張セルＩＤ（Ｅ−ＣＩＤ）測定の要求を含む、請求項５に記載の方法。
【請求項１０】
ワイヤレスネットワークにおける基地局の位置を決定するための命令を備え、前記命令は、請求項１ないし９のうちのいずれか一項に記載のステップを実行することを備える、非一時的なプロセッサ可読記憶媒体。
【請求項１１】
ワイヤレスネットワークにおける基地局の位置を決定するための装置であって、
命令を記憶するためのメモリユニットと、
前記メモリユニットに結合され、かつ請求項１ないし９のうちのいずれか一項に記載のステップを実行するように構成された、プロセッサおよび通信ユニットと
を備える装置。
【発明の詳細な説明】
【技術分野】
【０００１】
関連出願の相互参照
[0001]本出願は、そのそれぞれが本譲受人に譲渡され、その内容全体が参照により本明細書に組み込まれている、２０１３年９月２０日に出願された、「Ｈｏｍｅ  Ｎｏｄｅ  Ｂ  （ＨＮＢ）  Ｌｏｃａｔｉｏｎ  Ｓｅｒｖｉｃｅｓ」という名称の米国仮特許出願第６１／８８０，６２５号、および２０１３年９月２３日に出願された米国仮特許出願第６１／８８１，３４１号、「Ｈｏｍｅ  Ｎｏｄｅ  Ｂ  （ＨＮＢ）  Ｌｏｃａｔｉｏｎ  Ｓｅｒｖｉｃｅｓ」、および２０１３年９月２４日に出願された米国仮特許出願第６１／８８１，９２５号、「Ｈｏｍｅ  Ｎｏｄｅ  Ｂ  （ＨＮＢ）  Ｌｏｃａｔｉｏｎ  Ｓｅｒｖｉｃｅｓ」、および２０１４年１月２７日に出願された米国仮特許出願第６１／９３１，９２６号、「Ｈｏｍｅ  Ｎｏｄｅ  Ｂ  （ＨＮＢ）  Ｌｏｃａｔｉｏｎ  Ｓｅｒｖｉｃｅｓ」の利益を主張する。
【０００２】
[0002]本開示は、概して通信に関し、より詳細には、ワイヤレスネットワークにおいてホームノードＢ（ＨＢＮ：Ｈｏｍｅ  Ｎｏｄｅ  Ｂ）に位置特定サービス（ｌｏｃａｔｉｏｎ  ｓｅｒｖｉｃｅ）を提供するための技法に関する。
【背景技術】
【０００３】
[0003]ＨＮＢは、ますます普及し、住居、オフィス、店舗、アパート、および博物館、駅、空港、その他の大規模な屋内会場など、様々な場所により広く配置されるようになっているホーム基地局（フェムトセルまたはフェムト基地局と呼ばれることもある）である。これらのＨＮＢは、一般に、（通常、ライセンスを受けた無線周波数を使用する）ワイヤレスネットワークオペレータのための基地局として働き、無線カバレッジを改善する、スループットを増大させる、ならびに／またはネットワークオペレータおよび／もしくはユーザに他の利点をもたらすために使用され得る。ネットワークオペレータによって特定の位置に慎重に配置され、維持されるマクロ基地局とは異なり、ＨＮＢは、ユーザによっておよび／またはオペレータによって、任意の位置に無計画な方法で柔軟に配置され得る。
【０００４】
[0004]ＨＮＢが、そのカバレッジ内の１つまたは複数のユーザ機器（ＵＥ）のために通信をサポートすることができる。１つのタイプの配置では、ＨＮＢが、（たとえば、住居またはオフィスに配置されている場合）ごく小さい１組の利用からの通信をサポートすることができる。スモールセル配置として知られている別の配置では、ＨＮＢが、（たとえば、ショッピングモール、博物館、病院、または空港に配置されている場合）ユーザの大きな集団からの通信をサポートすることができる。ＨＮＢの位置を知ることが望ましい、または必要であることがある。たとえば、ＨＮＢがその現在の位置で動作することを許可されることを保証するために（たとえば、関連するネットワークオペレータがＨＮＢによってサポートされる無線周波数を使用するライセンスを有する地理的領域内である）、ＨＮＢの位置を知ることが必要であり得る。たとえば、ＵＥのユーザが緊急通話を行い、ＵＥの位置が緊急応答機関（ＰＳＡＰ：Ｐｕｂｌｉｃ  Ｓａｆｅｔｙ  Ａｎｓｗｅｒｉｎｇ  Ｐｏｉｎｔ）に転送される必要がある場合に、ＨＮＢにアクセスしている、またはＨＮＢの付近にあるＵＥの位置を正確に特定する助けとするために、ＨＮＢの位置を知ることが役立つこともある。
【０００５】
[0005]ＨＮＢが、ネットワークからのいかなる援助もなしにその位置を自律的に決定する能力を有し得る。たとえば、ＨＮＢは、スタンドアロン全地球航法衛星システム（ＧＮＳＳ：Ｇｌｏｂａｌ  Ｎａｖｉｇａｔｉｏｎ  Ｓａｔｅｌｌｉｔｅ  Ｓｙｓｔｅｍ）を使用して、測位をサポートすることがあり、ＧＮＳＳで衛星から受信される信号に基づいてその位置を決定することができることがある。ＧＮＳＳは、米国全地球測位システム（ＧＰＳ）、欧州ガリレオシステム（Ｅｕｒｏｐｅａｎ  Ｇａｌｉｌｅｏ  Ｓｙｓｔｅｍ）、ロシアＧＬＯＮＡＳＳシステム、中国Ｂｅｉｄｏｕシステム、または何らかの他のシステムを備えることができる。スタンドアロンＧＮＳＳで取得される位置推定は、優れた精度を有することができる。しかしながら、一般的にＨＮＢは、ＧＮＳＳ衛星からの信号が一般的に減衰され、マルチパスの影響を受ける屋内に配置される可能性があるので、スタンドアロンＧＳＮＮは、初期測位計算時間（ＴＴＦＦ：ｔｉｍｅ  ｔｏ  ｆｉｒｓｔ  ｆｉｘ）が比較的長いこと、精度が減少すること、および位置特定の成果（ｌｏｃａｔｉｏｎ  ｙｉｅｌｄ）が減少することなど、いくつかの欠点を有する可能性がある。したがって、ＨＮＢのためにスタンドアロンＧＮＳＳよりも性能を向上させることができる技法が非常に望ましい可能性がある。
【発明の概要】
【０００６】
[0006]ＨＮＢのために位置特定サービスをサポートするための技法が、本明細書において説明される。位置特定サービスは、スタンドアロンＧＮＳＳを上回るいくつかの利点を有することができるアシストＧＮＳＳ（Ａ−ＧＮＳＳ：Ａｓｓｉｓｔｅｄ  ＧＮＳＳ）を含むことができる。
【０００７】
[0007]本開示によるホームノードＢ（ＨＮＢ）の測位をサポートする例示的な方法が、アシストデータ（ａｓｓｉｓｔａｎｃｅ  ｄａｔａ）を求めて測位計算アプリケーション部（ＰＣＡＰ：Ｐｏｓｉｔｉｏｎｉｎｇ  Ｃａｌｃｕｌａｔｉｏｎ  Ａｐｐｌｉｃａｔｉｏｎ  Ｐａｒｔ）情報交換開始要求を送ることと、ＰＣＡＰ情報交換開始応答およびアシストデータを受信することと、アシストデータを利用して衛星信号情報を取得することと、衛星信号情報に基づいてＨＮＢの位置を決定することとを含む。
【０００８】
[0008]このような方法の実装には、次の特徴のうちの１つまたは複数を含むことができる。ＰＣＡＰ情報交換開始要求は、ＨＮＢ識別値を含むことができる。ＨＮＢ識別値は、ＨＮＢを一意に識別することができる。ＨＮＢ識別値は、ＨＮＢがＨＮＢであることを示すことができる。ＰＣＡＰ情報交換開始要求は、ＨＮＢの概ねの位置を含むことができる。ＨＮＢ識別値は、予約済みの国際モバイル加入者識別番号（ＩＭＳＩ：Ｉｎｔｅｒｎａｔｉｏｎａｌ  Ｍｏｂｉｌｅ  Ｓｕｂｓｃｒｉｂｅｒ  Ｉｄｅｎｔｉｔｙ）値、または予約済みの国際モバイル装置識別番号値を含むことができる。
【０００９】
[0009]本開示によるホームノードＢの測位をサポートする方法の一例が、ＨＮＢを用いてＧＮＳＳ測定情報を取得することと、ＧＮＳＳ測定情報を含んだ測位計算アプリケーション部（ＰＣＡＰ）測位計算要求を送ることと、ＰＣＡＰ測位計算応答を受信することと、ＰＣＡＰ測位計算応答に基づいてＨＮＢの位置を記憶することとを含む。
【００１０】
[0010]このような方法の実装は、次の特徴のうちの１つまたは複数を含むことができる。ＰＣＡＰ測位計算要求は、ＨＮＢ識別値を含むことができる。ＨＮＢ識別値は、予約済みＩＭＳＩまたはＩＭＥＩ値を含むことができる。ＨＮＢ識別値は、ＨＮＢの測位を示すことができる。
【００１１】
[0011]本開示によるホームノードＢ（ＨＮＢ）上で位置を決定する方法の一例は、測位のためにスタンドアロンサービングモバイル位置特定センター（ＳＡＳ）に向けて、ＨＮＢ識別値を含んだ測位計算アプリケーション部（ＰＣＡＰ）測位開始要求を送ることと、Ａ−ＧＮＳＳのためのＰＣＡＰ測位起動要求を受信することと、ＨＮＢでＧＮＳＳ測定を取得することと、Ａ−ＧＮＳＳのためのＰＣＡＰ測位起動応答を送ることと、ＰＣＡＰ測位開始応答を受信することと、ＰＣＡＰ測位開始応答に基づいてＨＮＢの位置を記憶することとを含む。
【００１２】
[0012]このような方法の実装は、次の特徴のうちの１つまたは複数を含むことができる。さらなるアシストデータの要求が、ＳＡＳに向けて送られることがあり、要求に基づいたさらなるアシストデータが受信されることがある。Ａ−ＧＮＳＳのためのＰＣＡＰ測位起動要求およびＰＣＡＰ測位起動応答は、ＨＮＢゲートウェイ（ＧＷ）から受信され得る。ＨＮＢ識別値は、クライアントタイプパラメータの値であり得る。ＨＮＢ識別値は、共通の予約済みＩＭＳＩまたはＩＭＥＩ値を含み得る。ＨＮＢ識別値は、ＳＡＳにＨＮＢの位置を示すことができる。ＨＮＢの位置の表示に応じて、ＳＡＳは、ＨＮＢによってサポートされない測定を要求しないことが可能である。ＳＡＳからの拡張セルＩＤ（Ｅ−ＣＩＤ：Ｅｎｈａｎｃｅｄ  Ｃｅｌｌ  ＩＤ）測定のためのＰＣＡＰ測位起動要求が、受信されることがあり、ＨＮＢの概ねの位置が、ＰＣＡＰ測位起動応答においてＳＡＳに返されることがある。
【００１３】
[0013]本開示によるホームノードＢ（ＨＮＢ）上で位置を決定するための装置の例は、命令を記憶する記憶媒体と、記憶媒体に通信可能に結合され、測位のためにスタンドアロンサービングモバイル位置特定センター（ＳＡＳ）に向けて、ＨＮＢ識別値を含んだ測位計算アプリケーション部（ＰＣＡＰ）測位開始要求を送り、Ａ−ＧＮＳＳのためのＰＣＡＰ測位起動要求を受信し、ＨＮＢにおいてＧＮＳＳ測定を取得し、Ａ−ＧＮＳＳのためのＰＣＡＰ測位起動応答を送り、ＰＣＡＰ測位開始応答を受信し、ＰＣＡＰ測位開始応答に基づいてＨＮＢの位置を記憶するように構成されたプロセッサとを含む。
【００１４】
[0014]このような装置の実装には、次の特徴のうちの１つまたは複数を含むことができる。プロセッサは、ＳＡＳに向けてさらなるアシストデータの要求を送り、要求に基づいてさらなるアシストデータを受信するようにさらに構成され得る。Ａ−ＧＮＳＳのためのＰＣＡＰ測位起動要求およびＰＣＡＰ測位起動応答は、ＨＮＢゲートウェイ（ＧＷ）から受信され得る。ＨＮＢ識別値は、クライアントタイプパラメータのための値を含み得る。ＨＮＢ識別値は、ＳＡＳにＨＮＢの測位を示すことができる。ＨＮＢ識別値は、共通の予約済みＩＭＳＩまたはＩＭＥＩ値を含み得る。ＨＮＢ測位の表示に応じて、ＳＡＳは、ＨＮＢによってサポートされない測定を要求しないことが可能である。ＨＮＢ測位の表示に応じて、ＳＡＳは、ＨＮＢの位置を記憶することができる。ＰＣＡＰ測位起動要求を受信することは、ＳＡＳからのＥ−ＣＩＤ測定の要求を含むことができ、ＰＣＡＰ測位起動応答は、ＳＡＳへＨＮＢの概ねの位置を返すことを含むことができる。
【００１５】
[0015]本開示を一致させるホームノードＢ（ＨＮＢ）上で位置を決定する命令を備えた非一時的プロセッサ可読記憶媒体の例は、測位のためにスタンドアロンサービングモバイル位置特定センター（ＳＡＳ）に向けて、ＨＮＢ識別値を含んだ測位計算アプリケーション部（ＰＣＡＰ）測位開始要求を送り、Ａ−ＧＮＳＳのためのＰＣＡＰ測位起動要求を受信し、ＨＮＢでＧＮＳＳ測定を取得し、Ａ−ＧＮＳＳのためのＰＣＡＰ測位起動応答を送り、ＰＣＡＰ測位開始応答を受信し、ＰＣＡＰ測位開始応答に基づいてＨＮＢの位置を記憶するためのコードを含む。
【００１６】
[0016]本明細書に記載される項目および／または技法は、次の能力および／または場合によっては言及されない１つもしくは複数の他の能力のうちの１つまたは複数を提供することができる。ＨＮＢが、位置特定サービスの要求を開始することができる。ＨＮＢは、制御プレーン位置ソリューションによって位置特定サーバと通信することができる。ＨＮＢのために位置特定サービスおよびＡ−ＧＮＳＳをサポートするために、位置特定サーバが使用され得る。位置特定サーバは、ＨＮＢゲートウェイ（ＨＮＢ  ＧＷ）と結合されることが可能であり、ＨＮＢ  ＧＷは位置特定サーバによって無線ネットワークコントローラ（ＲＮＣ）として見られることが可能である。ＨＮＢは、ＨＮＢ  ＧＷを介して位置特定サーバと測位計算アプリケーション部（ＰＣＡＰ）メッセージを交換して、ＨＮＢのために位置特定サービスをサポートすることができる。ＰＣＡＰメッセージは、ＰＣＡＰ開始要求中のクライアントタイプパラメータに値を含んで、ＨＮＢ測位を表示することができる。ＨＮＢは、ＵＥと無線リソース制御（ＲＲＣ）メッセージを交換して、ＵＥのために位置特定サービスをサポートするように構成され得る。さらに、上記の効果が記載した手段以外の手段によって得られる可能性があり、記載した項目／技法は、必ずしも記載した効果を生み出すとは限らない。
【図面の簡単な説明】
【００１７】
【図１】[0017]例示的なワイヤレスネットワークを示す図。
【図２Ａ】[0018]ＨＮＢとＳＡＳとの間の情報交換開始のメッセージフローを示す図。
【図２Ｂ】[0019]ＨＮＢの位置推定をＳＡＳに問い合わせるための測位計算手順のメッセージフローを示す図。
【図３】[0020]ＨＮＢのためにＡ−ＧＮＳＳをサポートするためのメッセージフローを示す図。
【図４】[0021]ＨＮＢおよびＳＡＳのブロック図。
【図５】[0022]ＨＮＢのために位置特定サービスをサポートする例示的なプロセスフローを示す図。
【図６】[0023]ＨＮＢの位置を記憶するための例示的なプロセスフローを示す図。
【図７】[0024]ＰＣＡＰ情報交換開始要求からＨＮＢ識別を決定するための例示的なプロセスを示す図。
【発明を実施するための形態】
【００１８】
[0025]ＨＮＢのために位置特定サービスをサポートするための本明細書に記載する技法は、「第３世代パートナーシッププロジェクト」（３ＧＰＰ（登録商標））および「第３世代パートナーシッププロジェクト２」（３ＧＰＰ２）と名付けられた団体によって定義されるものを含む、様々なワイヤレスネットワークおよび無線技術に使用され得る。たとえば、この技法は、３ＧＰＰによって定義されるユニバーサル地上無線アクセス（ＵＴＲＡ：Ｕｎｉｖｅｒｓａｌ  Ｔｅｒｒｅｓｔｒｉａｌ  Ｒａｄｉｏ  Ａｃｃｅｓｓ）を実装する広帯域符号分割多元接続（ＷＣＤＭＡ（登録商標））ネットワーク、３ＧＰＰによって定義される次世代ユニバーサル地上無線アクセス（Ｅ−ＵＴＲＡ：Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）を実装するロングタームエボリューション（ＬＴＥ（登録商標））ネットワークに使用され得る。ＷＣＤＭＡは、ユニバーサルモバイル通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）の一部である。ＬＴＥは、３ＧＰＰ次世代パケットシステム（ＥＰＳ：Ｅｖｏｌｖｅｄ  Ｐａｃｋｅｔ  Ｓｙｓｔｅｍ）の一部である。３ＧＰＰからの文書には、ＷＣＤＭＡ、ＬＴＥ、ＵＴＲＡ、Ｅ−ＵＴＲＡ、ＵＭＴＳ、およびＥＰＳが記載されている。技法は、他のワイヤレスネットワーク（たとえば、３ＧＰＰネットワークおよび３ＧＰＰ２ネットワーク）ならびに他の無線技法にも使用され得る。本明細書に記載する技法は、その全体が参照により本明細書に組み込まれている、２０１１年４月１２日に出願された、「Ｍｅｔｈｏｄ  ａｎｄ  Ａｐｐａｒａｔｕｓ  Ｆｏｒ  Ｓｕｐｐｏｒｔｉｎｇ  Ｌｏｃａｔｉｏｎ  Ｓｅｒｖｉｃｅｓ  Ｖｉａ  ａ  Ｈｏｍｅ  Ｎｏｄｅ  Ｂ  （ＨＮＢ）」という名称の米国特許出願第１３／０８５，３９５号に記載される技法の拡張である。
【００１９】
[0026]本明細書に記載する技法は、（ｉ）３ＧＰＰによって公に定義されたＬＴＥ測位プロトコル（ＬＰＰ）、無線リソースＬＣＳプロトコル（ＲＲＬＰ）、および無線リソース制御（ＲＲＣ）、（ｉｉ）３ＧＰＰ２によって公に定義されたＣ．Ｓ００２２（ＩＳ−８０１としても知られる）、ならびに（ｉｉｉ）オープンモバイルアライアンス（ＯＭＡ：Ｏｐｅｎ  Ｍｏｂｉｌｅ  Ａｌｌｉａｎｃｅ）によって公に定義されたＬＰＰ拡張（ＬＰＰｅ）など、様々な測位プロトコルと関連して使用されることもある。測位プロトコルが、デバイスの測位を整合させ、制御するように使用され得る。測位プロトコルは、（ｉ）ロケーションサーバと測位されるデバイスとによって実行され得るプロシージャと、（ｉｉ）デバイスとロケーションサーバとの間の通信またはシグナリングとを定義し得る。
【００２０】
[0027]本明細書に記載する技法は、アシストＧＮＳＳ（Ａ−ＧＮＳＳ）および拡張セルＩＤ（Ｅ−ＣＩＤ）などの測位方法を使用してＵＥおよび／またはＨＮＢの測位をサポートするために使用され得る。Ａ−ＧＮＳＳおよびＥ−ＣＩＤはそれぞれ、一部においてまたは全部において、ＬＰＰ、ＲＲＣ．ＲＲＬＰ、ＩＳ−８０１、およびＬＰＰｅなどの測位プロトコルによってサポートされることが可能であり、そのような場合、これらの測位プロトコルの３ＧＰＰ定義、３ＧＰＰ２定義、およびＯＭＡ定義によって定義されるように使用されることが可能である。
【００２１】
[0028]図１は、通信および位置特定サービスをサポートするワイヤレスネットワーク１００を示す。ＨＮＢ１０２は、ＨＮＢ１０２のカバレッジ内の１つまたは複数のＵＥ１０４のために無線通信をサポートするために配置され得る。ＵＥ１０４は、ワイヤレスネットワーク１００などのワイヤレスネットワークにおいてＨＮＢ１０２などの基地局とワイヤレスに通信することができる携帯電話（ｃｅｌｌ  ｐｈｏｎｅ）、スマートフォン、タブレット、ラップトップ、または他のモバイルデバイスであってよい。さらなるＨＮＢ局（図示せず）が様々な場所に（たとえば、多階の建物の異なる階に）配置され、複数のＵＥ（図示せず）と通信するように構成され得る。ＨＮＢ１０２は、ホーム基地局、フェムトアクセスポイント（ＦＡＰ）、ホーム発展ノードＢ（ＨｅＮＢ）、スモールセル基地局、フェムトセルなどと呼ばれることもある。ＨＮＢ１０２は、ＷＣＤＭＡまたは何らかの他の無線技術を使用して無線アクセスをサポートすることができる。ＨＮＢゲートウェイ（ＧＷ）１０６が、ＨＮＢ１０２および他のＨＮＢに結合されることが可能であり、ＨＮＢと他のネットワークエンティティとの相互作用をサポートすることができる。他のネットワークエンティティは、ワイヤレスネットワーク１００のために様々な機能およびサービスをサポートするエンティティを含むことができる。たとえば、ワイヤレスネットワーク１００は、モバイル交換センター（ＭＳＣ）、サービングＧＰＲＳサポートノード（ＳＧＳＮ）（すなわち、ＭＳＣ／ＳＧＳＮ要素１０８として表される）、および／または他のネットワークエンティティを含むことができる。ＭＳＣが、回線交換（ＣＳ）呼のために交換機能を行うことができ、ショートメッセージサービス（ＳＭＳ）メッセージをルーティングすることもできる。ＳＧＳＮが、ＵＥのためにパケット交換（ＰＳ）接続およびセッションのためのシグナリング、交換、およびルーティング機能を行うことができる。ＭＳＣ／ＳＧＳＮ要素１０８は、ＭＳＣまたはＳＧＳＮのどちらかを表すことができ（たとえば、両方は結合されない）、Ｉｕインターフェースを使用していくつかの他のネットワーク要素（たとえば、ＨＮＢ  ＧＷ）と通信することができる。ＭＳＣ／ＳＧＳＮ１０８は、公衆交換電話ネットワーク（ＰＳＴＮ）、インターネット、またはゲートウェイＧＰＲＳサポートノードなど、図１に示されない他のエンティティと通信することもある。ＨＮＢおよびＵＥのためにＥ−ＣＩＤおよび／またはＡ−ＧＮＳＳを含む位置特定サービスをサポートするために、スタンドアロンサービングモバイル位置特定センター（ＳＡＳ）１１０または何らかの他の位置特定サーバが使用され得る。３ＧＰＰネットワークでは一般的にＳＡＳが使用されることがあり、ＨＮＢ  ＧＷ１０６に、またはＳＡＳによってそれぞれ無線ネットワークコントローラ（ＲＮＣ）として見られ得るいくつかのＨＮＢ  ＧＷに、接続され得る。ＳＡＳ１１０は、１つまたは複数のＲＮＣ（図１に示さず）に接続されることもあり、ＵＥ１０４など、ただしこれに限らない、ワイヤレスネットワーク１００にアクセスしているＵＥの位置をサポートするために使用され得る。ワイヤレスネットワーク１００���、他のネットワーク、たとえば、他のワイヤレスネットワーク、インターネット、および／またはＰＳＴＮに接続され得る。
【００２２】
[0029]動作において、ＨＮＢ  ＧＷ１０６は、（たとえば、直接リンクによって、またはインターネットによって）ＨＮＢ１０２に接続されることが可能であり、ＨＮＢと、ＭＳＣ／ＳＧＳＮ１０８などの他のネットワークエンティティとの相互作用をサポートすることができる。ＨＮＢ１０２およびＨＮＢ  ＧＷ１０６は、３ＧＰＰ技術仕様書（ＴＳ）２５．４６８に定義されているようにＩｕｈインターフェース１２２を通じてＨＮＢ１０２とＨＮＢ  ＧＷ１０６との間で、無線アクセスネットワークアプリケーション部（ＲＡＮＡＰ）プロトコルなどの他のプロトコルのためにメッセージを転送するために、無線アクセスネットワークアプリケーション部（ＲＡＮＡＰ：Ｒａｄｉｏ  Ａｃｃｅｓｓ  Ｎｅｔｗｏｒｋ  Ａｐｐｌｉｃａｔｉｏｎ  Ｐａｒｔ）ユーザ適応（Ｕｓｅｒ  Ａｄａｐｔｉｏｎ）（ＲＵＡ）プロトコルを利用することができる。ＳＡＳ１１０は、ワイヤレスネットワーク１００にアクセスするＵＥ（たとえば、ＵＥ１０４）のために、および／またはワイヤレスネットワーク１００内のＨＮＢ（たとえば、ＨＮＢ１０２）のために、位置特定サービスおよび測位をサポートすることができる。ＳＡＳ１１０は、ＳＡＳ１１０とＨＮＢ  ＧＷ１０６との間で、３ＧＰＰ  ＴＳ２５．４５３に定義される測位計算アプリケーション部（ＰＣＡＰ）プロトコルなどの測位関連プロトコルをサポートするメッセージの転送を可能にすることができるＩｕｐｃインターフェース１２４を介して、ＨＮＢ  ＧＷ１０６と通信することができる。簡単にするために、図１に、ワイヤレスネットワーク１００に存在し得るいくつかのネットワークエンティティだけを示す。ワイヤレスネットワーク１００は、他のネットワークエンティティを含み得る。ＨＮＢ１０２が、ワイヤレスネットワーク１００によってサポートされる多くのＨＮＢのうちの１つであり得る。
【００２３】
[0030]ＨＮＢ１０２は、スタンドアロンＧＮＳＳをサポートすることができ、そのスタンドアロンＧＮＳＳ能力に基づいてその位置を決定することが可能であり得る。スタンドアロンＧＮＳＳは、いくつかの環境では（たとえば、ＨＮＢ１０２が屋外にある場合）正確な位置推定を提供することが可能であり得るが、いくつかの欠点を有する可能性がある。たとえば、スタンドアロンＧＮＳＳは、衛星信号の測定を使用して受信機で位置を計算するために必要とされ得るＧＮＳＳ航法データを受信機が復調するために、受信側（たとえば、ＨＮＢ１０２）で最良の衛星の信号強度が約−１４５ｄＢｍ以上であることを要求し得る。さらに、スタンドアロンＧＮＳＳの初期測位計算時間（ＴＴＦＦ：ｔｉｍｅ  ｔｏ  ｆｉｒｓｔ  ｆｉｘ）は、受信機が位置推定を取得するのに十分な信号を捕捉し、測定することを可能にするために、低信号強度ではおよそ数分以上である可能性がある。
【００２４】
[0031]アシストＧＮＳＳ（Ａ−ＧＮＳＳ）は、スタンドアロンＧＮＳＳよりも優れた性能を提供することができる、および／またはスタンドアロンＧＮＳＳの欠点のいくつかを改善することができる。Ａ−ＧＮＳＳのために、デバイス（たとえば、ＵＥ１０４またはＨＮＢ１０２）は、ネットワークから（たとえば、ＳＡＳ１１０などのＳＡＳから）衛星のためのアシストデータを取得することができ、アシストデータを使用して衛星を探し、捕捉することができる。アシストデータは、デバイスが衛星をより速く検出すること、より低い受信信号レベルで衛星を検出すること、および衛星航法データを復調しなければならない状態を回避することなどを可能にすることができる。たとえば、Ａ−ＧＮＳＳは、最良の衛星の信号強度が約−１５５ｄＢｍ以下であるときでさえ、機能することができ、これはスタンドアロンＧＮＳＳの場合よりも少なくとも１０ｄＢ改善され得る。ＴＴＦＦは、スタンドアロンＧＮＳＳの場合の数分以上に代わって、Ａ−ＧＮＳＳの場合はおよそ数十秒であり得る。Ａ−ＧＮＳＳの場合の感度の上昇および最小信号強度の低下は、屋内に配置される可能性があるＨＮＢには特に望ましい可能性がある。より短いＴＴＦＦは、より優れたユーザ体験を提供することができ、たとえば、ＨＮＢ１０２が初期化時にその位置を正確に決定することを可能にし、それによって、ＨＮＢ１０２がライセンスを受けたオペレータスペクトルでの操作が許可される位置にいることをＨＮＢ１０２が決定するのに必要とされる時間を削減し得る。
【００２５】
[0032]図２Ａは、ＨＮＢ１０２とＳＡＳ１１０との情報交換開始のメッセージフロー２００Ａを示す。ＰＣＡＰ情報交換手順（すなわち、３ＧＰＰ  ＴＳ２５．４５３に定義される）は、ＨＮＢ１０２がその後のＨＮＢベースの測位のためにＳＡＳ１１０から特定のＡ−ＧＮＳＳアシストデータを要求することを可能にするために使用され得る。ＳＡＳ１１０からＡ−ＧＮＳＳのためのアシストデータを要求するために、ＨＮＢ１０２によって、ＰＣＡＰ情報交換開始要求メッセージが送られ得る。一例では、ＰＣＡＰ情報交換開始要求メッセージは、ＨＮＢ識別値を含むことができる。ＨＮＢ識別値は、メッセージの送信者をＨＮＢであると識別することがあり、さらに、（たとえば、シリアル番号、デバイス識別情報、ＩＰアドレス、ＭＡＣアドレス、ＳＳＩＤ、サービングセル識別情報、ＩＭＳＩもしくはＩＭＥＩを使用して）特定のＨＮＢを一意に識別することがある、または、ＨＮＢを一意に識別せずに、単にＰＣＡＰ情報交換開始要求メッセージの送信者をＨＮＢとして識別することがある、またはＨＮＢ表示を提供しないことがある。一実施形態では、（たとえば、ＳＡＳ１１０がＨＮＢのためにＧＮＳＳ取得アシストデータを計算することを可能にするために）ＰＣＡＰ情報交換開始要求メッセージ中のＰＣＡＰプロトコルによって与えられる概ねの初期位置は、他の方法（たとえば、スタンドアロンＧＮＳＳ、ＨＮＢ１０２によって観察される付近のセルＩＤの利用、またはインターネットサービスプロバイダによってＨＮＢ１０２に割り当てられたＩＰアドレスに基づく暗黙の位置）から計算される概ねのＨＮＢ１０２位置であることが可能である。ＨＮＢ１０２はＲＮＣの代わりに利用されることになり、手順は、ＵＥ（たとえば、ＵＥ１０４など）ではなくＨＮＢ１０２を測位するためにＨＮＢ１０２によって呼び出されるという点で、メッセージフロー２００Ａは、以前の標準とは異なる。メッセージフロー２００Ａは、ＨＮＢ１０２とＳＡＳ１１０との間で中継として働き、ＰＣＡＰメッセージを転送することができるＨＮＢ  ＧＷ１０６（図２Ａに示さず）を通って流れ得る。ＳＡＳ１１０は、ＰＣＡＰ情報交換開始要求メッセージに含まれているいずれかのＨＮＢ識別値を（これがＨＮＢ１０２を一意に識別しても、ＨＮＢ１０２をＨＮＢであると識別するだけであっても）使用して、あるタイプのアシストデータ、たとえば、ＨＮＢにより適したまたは役立つ、ＳＡＳ１１０で構成された（たとえば、Ａ−ＧＮＳＳのための）タイプのアシストデータをＨＮＢ１０２に提供することができる。ＳＡＳ１１０は、（たとえば、ＨＮＢ  ＧＷ１０６を介して）ＰＣＡＰ情報交換開始応答メッセージでアシストデータを返すことができる。ＳＡＳ１１０からＨＮＢ１０２によって受信されるアシストデータは、ＨＮＢ１０２が衛星を捕捉し、衛星信号の測定を行う助けとなるように、ＨＮＢ１０２によって使用され得る。ＨＮＢ１０２がＧＮＳＳ衛星の測定を行うと、ＳＡＳ１１０から受信されたアシスタントデータは、ＨＮＢ１０２の位置を計算する助けとなるように、ＨＮＢ１０２によってさらに使用され得る。
【００２６】
[0033]図２Ｂは、ＨＮＢ１０２の位置推定のためにＳＡＳ１１０に問い合わせるための測位計算手順のメッセージフロー２００Ｂを示す。ＰＣＡＰ測位計算手順は（すなわち、３ＧＰＰ  ＴＳ２５．４５３に定義されるように）、ＨＮＢ１０２が測位計算のためにＧＮＳＳ測定をＳＡＳ１１０に送ること、およびＳＡＳ１１０が続いてＨＮＢ１０２の計算された位置推定をＨＮＢ１０２に返すことを可能にするために使用され得る。メッセージフロー２００Ｂは、ＨＮＢ１０２がＧＮＳＳ測定を取得した後に呼び出され得る。メッセージフロー２００Ｂは、ＲＮＣに左右されず、あるＵＥ（たとえば、ＵＥ１０４）ではなくＨＮＢ１０２の位置を計算するために使用されるという点で、以前の手法とは異なる。ＨＮＢ１０２は、ＰＣＡＰ測位計算要求メッセージをＳＡＳ１１０に（たとえば、図２Ｂに示していないＨＮＢ  ＧＷ１０６を介して）送ることによってメッセージフロー２００Ｂを開始し、ＰＣＡＰ測位計算要求メッセージに、ＨＮＢ１０２によって取得されたＧＮＳＳ衛星の測定（たとえば、ＧＮＳＳコード位相測定）を含めることができる。ＳＡＳ１１０は、ＨＮＢ１０２によって取得され、送られたＧＮＳＳ測定に基づいてＨＮＢ１０２の位置を計算するように構成され得る。ＳＡＳ１１０は、（たとえば、図２Ｂに示していないＨＮＢ  ＧＷ１０６を介して転送される）ＰＣＡＰ測位計算応答メッセージで、計算された位置をＨＮＢ１０２に返すことができる。
【００２７】
[0034]いくつかの実施において、メッセージフロー２００Ｂは、メッセージフロー２００ＡがＨＮＢ１０２によって使用されて、ＳＡＳ１１０からＧＮＳＳアシストデータを取得した後、およびＨＮＢ１０２が、このアシストデータの助けでＧＮＳＳ衛星信号を捕捉し、測定した後、ＨＮＢ１０２によって開始され得る。この場合、メッセージフロー２００Ｂは、ＨＮＢ１０２によってＨＮＢ１０２の位置を計算することに代わるものとして、ＨＮＢ１０２によって開始され得る。他の実施では、早い時点にＨＮＢ１０２によってメッセージフロー２００Ａが使用されないことがあり、または呼び出されることがあり、ＨＮＢ１０２がいくつかのＧＮＳＳ測定を行った後、メッセージフロー２００ＢがＨＮＢ１０２によって分離して使用されて、その位置をＳＡＳ１１０から取得することがある。一例では、メッセージフロー２００ＢにおいてＨＮＢ１０２によってＳＡＳ１１０に送られるＰＣＡＰ測位計算要求メッセージは、ＨＮＢ識別値を含み得る。ＨＮＢ識別値は、メッセージの送信者をＨＮＢであると識別することができ、さらに（たとえば、シリアル番号、デバイス識別情報、ＩＰアドレス、ＭＡＣアドレス、ＳＳＩＤ、サービングセル識別情報、ＩＭＳＩ、またはＩＭＥＩを使用して）特定のＨＮＢをＨＮＢ１０２であると一意に識別することができる。いくつかの実施において、あるＩＭＳＩまたはＩＭＥＩ値が、ＨＮＢを識別するために予約されることがあり、ＰＳＡＰ測位計算要求メッセージに含まれることがある。
【００２８】
[0035]いくつかの実施形態において、ＨＮＢ１０２は、両方ともがＨＮＢ１０２をＨＮＢであると識別し、ＨＮＢ１０２を一意に識別する（たとえば、ＨＮＢ１０２をワイヤレスネットワーク１００に属するその他のＨＮＢと区別する）一意のＩＭＳＩおよび／またはＩＭＥＩ値を（たとえば、製造時にまたは初期化中に）有して構成され得る。他の実施形態において、ＨＮＢ１０２をＨＮＢであると識別するが、ＨＮＢ１０２をワイヤレスネットワーク１００に属する他のＨＮＢと区別しない共通の予約済みＩＭＳＩまたはＩＭＥＩ値が、（製造時にまたは初期化中に）ＨＮＢ１０２に構成され得る。共通の予約済みＩＭＳＩもしくはＩＭＥＩ値が、ワイヤレスネットワーク１００のオペレータによって割り当てられる、またはその他の場合はこれに属することがあり、ＵＥ１０４などのいずれかのＵＥに割り当てられたＩＭＳＩもしくはＩＭＥＩ値とは異なることがある。いくつかの実施形態では、ＨＮＢ識別値は、ＨＮＢ１０２をＨＮＢであると識別することができるが、ＨＮＢ１０２に一意の識別を行うことはできない。ＨＮＢ識別値が含まれる場合、ＳＡＳは、ＨＮＢ識別（たとえば、メッセージフロー２００ＢにおいてＰＣＡＰ測位計算要求メッセージで、またはメッセージフロー２００ＡにおいてＰＣＡＰ情報交換開始要求メッセージで、ＳＡＳ１１０に提供され得るＨＮＢサービングセルＩＤ）と関連してＨＮＢのために計算された位置を記憶することができる。ＨＮＢ１０２の記憶された位置は、後にＳＡＳ１１０によって、（たとえば、Ｅ−ＣＩＤまたはＡ−ＧＮＳＳ測位を使用して）ＨＮＢ１０２の付近にあるまたはこれにアクセスしている可能性のあるＵＥの位置を特定する助けとする際に使用され得る。
【００２９】
[0036]一実施形態では、ＨＮＢ１０２がＲＮＣセントリックモードでＵＥ測位をサポートするために使用されるＳＡＳ１１０と同じＰＣＡＰ相互作用をサポートすることができるという点において、図２Ａおよび図２Ｂに示されるＨＮＢ測位は、３ＧＰＰ  ＴＳ２５．３０５に定義されるように、ＵＥのＲＮＣセントリック測位と合致することができる。
【００３０】
[0037]図３は、ＳＡＳ１１０を使用してＨＮＢ１０２のために位置特定サービスおよびＡ−ＧＮＳＳをサポートするためのメッセージフロー３００の設計を示す。ＨＮＢ１０２は、たとえば、ＨＮＢが初期化されている間に、またはその後しばらくして、ＨＮＢ１０２の位置が必要とされていると決定することができる（ステップ１）。ＨＮＢ１０２は、ＨＮＢ  ＧＷ１０６へのＰＣＡＰユーザ適応（ＰＵＡ）接続（Ｃｏｎｎｅｃｔ）メッセージでＰＣＡＰ測位開始要求メッセージを送って、ＳＡＳ１１０との位置特定セッション（ｌｏｃａｔｉｏｎ  ｓｅｓｓｉｏｎ）を開始することができる（ステップ２）。ＰＵＡ接続メッセージは、ＳＡＳ（たとえば、ＳＡＳ１１０）の識別情報を含むこともできる。ＰＣＡＰ測位開始要求メッセージは、ＨＮＢ  ＧＷ１０６用のＲＮＣ  ＩＤおよび／またはＨＮＢ１０２のセルＩＤを含むことができる。一実施形態では、メッセージは、ＨＮＢ１０２の測位能力（たとえば、Ａ−ＧＮＳＳ）などを含むことができる。さらなる実施形態において、メッセージは、ＨＮＢ識別値を含むことができる。ＨＮＢ識別値は、ＵＥのためにではなくＨＮＢのために測位が要求されていることを示す値を含んだクライアントタイプパラメータであってよい。ＨＮＢ識別値は代替的には、ＨＮＢを示す予約済みＩＭＳＩまたはＩＭＥＩ値であってよい。この実施形態では、ＲＮＣ  ＩＤが、メッセージ含まれないことがある。ＨＮＢ  ＧＷ１０６は、ＳＡＳ１１０へのＳＣＣＰ接続要求（ＣＲ：Ｃｏｎｎｅｃｔｉｏｎ  Ｒｅｑｕｅｓｔ）メッセージでＰＣＡＰ測位開始要求メッセージを転送することができる（ステップ３）。ＨＮＢ  ＧＷ１０６は、ステップ２で送られたＰＵＡ接続メッセージに含まれているいずれかのＳＡＳの識別情報から、または他の方法で（たとえば、１つのＳＡＳしかＨＮＢ  ＧＷ１０６に接続されていない場合、デフォルトによって）、ＳＡＳ１１０を決定することができる。ＳＡＳ１１０は、ＰＣＡＰ測位開始要求メッセージを受信することができ、ＨＮＢ  ＧＷを識別するＲＮＣ  ＩＤを含むことから、要求がＨＮＢからであることを認識することができる。ＳＡＳ１１０は、その上にまたは代わりに、ＰＣＡＰ測位開始要求がクライアントタイプパラメータまたは予約済みＩＭＳＩもしくはＩＭＥＩ値などのＨＮＢ識別値を含むので、要求がＨＮＢからであることを認識することができる。一実施形態では、ＨＮＢ識別値（たとえば、クライアントタイプパラメータまたは予約済みＩＭＳＩもしくはＩＭＥＩ値）あるいはＲＮＣ  ＩＤは、ＨＮＢにアクセスしているＵＥ（たとえば、ＵＥ１０４）を測位するのではなく、ＨＮＢを測位するためにＨＮＢによってＰＣＡＰ測位開始要求が送られたことをＳＡＳ１１０に示すことができる。さらなる実施形態において、ＨＮＢ識別値は、ＨＮＢ１０２を一意に識別することができる（たとえば、ＨＮＢ１０２をワイヤレスネットワーク１００のためのその他のＨＮＢと区別することができる）。この場合、ＨＮＢ識別値は、ＨＮＢ１０２に固有である（たとえば、製造時にまたは初期化中にＨＮＢ１０２で構成される）ＩＭＳＩまたはＩＭＥＩ値を備えることができる。あるいは、ＨＮＢ識別値は、単にＨＮＢ１０２をＨＮＢであると識別することができる。この場合、ＨＮＢ識別値は、ワイヤレスネットワーク１００のためのいくつかのまたはすべてのＨＮＢで構成される、共通の予約済みＩＭＳＩまたはＩＭＥＩ値であってよい、またはＨＮＢを示す値に設定されたクライアントタイプパラメータであってよい。
【００３１】
[0038]ＳＡＳ１１０は、ＨＮＢ  ＧＷ１０６に送られるＳＣＣＰ接続確認（ＣＣ）メッセージで、Ａ−ＧＮＳＳのためのアシストデータを含むことができるＰＣＡＰ測位起動要求メッセージを送ることによってＡ−ＧＮＳＳ測位手順を開始することができる（ステップ４）。ＨＮＢ  ＧＷ１０６は、ＨＮＢ１０２へのＰＵＡ直接転送（Ｄｉｒｅｃｔ  Ｔｒａｎｓｆｅｒ）メッセージでＰＣＡＰ測位起動要求メッセージを転送することができる（ステップ５）。ＳＡＳは、ステップ２およびステップ３で転送されたＰＣＡＰ測位開始要求メッセージに含まれているＨＮＢ１０２によるＡ−ＧＮＳＳ測位のためのサポートの表示に応じて、および／またはＵＥではなくＨＮＢの測位が要求されるというＨＮＢ識別値の表示に応じて、ステップ４においてＡ−ＧＮＳＳ測位手順を開始することができる。
【００３２】
[0039]ＨＮＢ１０２は、ＰＣＡＰ測位起動要求メッセージを受信することができ、たとえば、ＳＡＳ１１０から受信されたアシストデータに基づいて、ＧＮＳＳ測定を取得することができる（ステップ６）。ＨＮＢ１０２は、ＧＮＳＳ測定およびステップ５において受信されたアシストデータに基づいて位置推定を決定することができることがある、またはできないことがある。ＨＮＢ１０２は、ＨＮＢ  ＧＷ１０６に送られるＰＵＡ直接転送メッセージで、ＧＮＳＳ測定および／または位置推定を含むことができるＰＣＡＰ測位起動応答メッセージを送ることができる（ステップ７）。ＨＮＢ  ＧＷ１０６は、ＳＡＳ１１０へのＳＣＣＰデータフォーム１（ＤＴ１）メッセージでＰＣＡＰ測位起動応答メッセージを転送することができる（ステップ８）。
【００３３】
[0040]ＳＡＳ１１０は、ステップ８においてＰＣＡＰ測位起動応答メッセージからＧＮＳＳ測定および／または位置推定を受信することができる。ＳＡＳ１１０は、（提供される場合は）ＧＮＳＳ測定に基づいてＨＮＢ１０２のための位置推定を計算することができる、および／または、たとえばＨＮＢ  ＧＷ１０６の既知のカバレッジエリアもしくはＨＮＢ１０２のすでに記憶されている位置推定を使用して、ＨＮＢ１０２のための位置推定を検証するもしくは一部検証することができる（ステップ９）。ＳＡＳ１１０は、その後、ＨＮＢ  ＧＷ１０６に送られるＳＣＣＰ  ＤＴ１メッセージにおいて搬送され得るＰＣＡＰ測位開始応答メッセージで、ＳＡＳ１１０によって計算されたおよび／または検証された位置推定を送ることができる（ステップ１０）。ＨＮＢ  ＧＷ１０６は、ＨＮＢ１０２へのＰＵＡ直接転送メッセージでＰＣＡＰ測位開始応答メッセージを転送することができる（ステップ１１）。
【００３４】
[0041]ＨＮＢ１０２は、ＨＮＢ  ＧＷ１０６にＰＵＡ切断（Ｄｉｓｃｏｎｎｅｃｔ）メッセージを送ることによってＳＡＳ１１０との位置特定セッションを終了することができ（ステップ１２）、ＨＮＢ  ＧＷ１０６は、ＳＡＳ１１０にＳＣＣＰ解放（Ｒｅｌｅａｓｅｄ）メッセージを送ることができる（ステップ１３）。ＳＡＳ１１０は、ＳＣＣＰ解放完了（ＲＬＣ：Ｒｅｌｅａｓｅ  Ｃｏｍｐｌｅｔｅ）メッセージを返すことができる（ステップ１４）。ＨＮＢ１０２は、その位置推定を記憶するおよび／または位置推定を別のネットワークリソースに、もしくはＵＥ１０４に、提供することができる。
【００３５】
[0042]図３においてＳＡＳ１１０は、ステップ４およびステップ５で、ＨＮＢ１０２にＡ−ＧＮＳＳのためのアシストデータを送ることができる。ＨＮＢ１０２は、たとえば、ステップ５で受信されたアシストデータが、十分な数の正確なＧＮＳＳ測定が得られることを可能にする、またはＨＮＢ１０２がこれらの測定から位置推定を計算することを可能にするには不十分である場合、ステップ６で新しいアシストデータが必要であると決定することができる。この場合、ＨＮＢ１０２は、ＳＡＳ１１０にＧＮＳＳ測定を送る代わりに、ステップ７およびステップ８でＳＡＳ１１０にアシストデータの要求を送ることができる。ステップ４からステップ８は、その後ＳＡＳ１１０によって繰り返されて、ＨＮＢ１０２に新しいアシストデータを提供することができる。図３において同様に、ＳＡＳ１１０は、ステップ９でさらに多くの測定または別の位置推定が必要であると決定することができ、ＨＮＢ１０２から測定または位置推定を取得するためにステップ４からステップ８を繰り返すことができる。
【００３６】
[0043]図３は、Ａ−ＧＮＳＳの利用を示しているが、ＳＡＳ１１０は、ステップ４からステップ８において１つまたは複数の追加のまたは代替の測位方法を呼び出すことができる。たとえば、ＳＡＳ１１０は、観測到達時間差（ＯＴＤＯＡ：Ｏｂｓｅｒｖｅｄ  Ｔｉｍｅ  Ｄｉｆｆｅｒｅｎｃｅ  ｏｆ  Ａｒｒｉｖａｌ）を呼び出すことができ、ステップ４およびステップ５において送られるＰＣＡＰ測位起動メッセージにＯＴＤＯＡのためのアシストデータを含むことができる。ＨＮＢ１０２は、その後、ステップ６においてＯＴＤＯＡ測定またはＯＴＤＯＡ測定に基づいた位置推定を取得することができ、ステップ７およびステップ８においてＰＣＡＰ測位起動応答メッセージでＳＡＳ１１０にＯＴＤＯＡ測定または位置推定を返すことができる。別の例として、ＳＡＳ１１０は、ステップ４およびステップ５において送られるＰＣＡＰ測位起動メッセージでＥ−ＣＩＤを呼び出すことができ、ＨＮＢ１０２は、ステップ６においてＥ−ＣＩＤ測定を取得し、ステップ７およびステップ８においてＳＡＳ１１０に返すことができる。
【００３７】
[0044]ステップ２およびステップ３においてＨＮＢ識別値が含まれないことがある実施では、ＳＡＳ１１０は、（たとえば、図３のステップ４およびステップ５における）ＰＣＡＰ測位起動要求でＥ−ＣＩＤ測定の要求を送ることができ、ＨＮＢ１０２が測定を取得できない場合、ＨＮＢ１０２は、ＰＣＡＰ測位起動失敗（Ｐｏｓｉｔｉｏｎ  Ａｃｔｉｖａｔｉｏｎ  Ｆａｉｌｕｒｅ）および適切な原因（たとえば、「サポート対象外」など）を返すことができる。この実施については、ＳＡＳ１１０は、（たとえば、図３のステップ２およびステップ３において）ＨＮＢ１０２によって開始された測位が、ＵＥ（たとえば、ＵＥ１０４）のためではなく、ＨＮＢ１０２のためであることを知らないことがある。たとえば、図３のステップ２およびステップ３においてＨＮＢ１０２がＨＮＢ  ＧＷ１０６のためのＲＮＣ  ＩＤを含んでいても、ＳＡＳ１１０は、ＨＮＢによって測位が要求されていることしかわからず、測位がＵＥのためではなく、ＨＮＢのために行われていることはわからないことがある。したがって、ＳＡＳ１１０は、ＵＥの測位に有効である可能性があるＨＮＢ１０２からＥ−ＣＩＤ測定を要求する可能性がある。しかしながら、ＨＮＢ１０２の測位については、Ｅ−ＣＩＤ測定は、基地局（たとえば、ＷＣＤＭＡノードＢ）によるＵＥからの信号の測定を想定する可能性があるので、ＨＮＢ１０２によって取得可能ではない可能性があり、適用可能ではない可能性がある。したがって、ＨＮＢ１０２は、上述のように失敗表示を用いてＳＡＳ１１０によるＥ−ＣＩＤ測定の要求に応答する必要があることがある。一実施形態では、（たとえば、図３のステップ２において）ＨＮＢ１０２によって送られるＰＣＡＰ測位開始要求メッセージは、（たとえば、クライアントタイプパラメータ中の特定の値または何らかの予約済み値に設定されたＩＭＳＩもしくはＩＭＥＩ値を備えることができるＨＮＢ識別値を含めることによって）ＨＮＢの測位を示すことができる。ＳＡＳ１１０は、その後、測位がＨＮＢのためであることを認識することができ、ＨＮＢによってサポートされることが可能ではない要求を送らないように構成され得る（たとえば、ＳＡＳ１１０は、ＨＮＢによって取得されることが可能ではないＥ−ＣＩＤ測定の要求を送ることはない）。また、ＳＡＳ１１０が（たとえば、図３のステップ９において）ＨＮＢ１０２のための位置推定を計算または検証した後、ＳＡＳ１１０は、ステップ２およびステップ３において送られたＰＣＡＰ測位開始要求メッセージに、ＨＮＢ１０２によって含められ得るＨＮＢ１０２のサービングセル識別情報など、ＨＮＢ１０２のための何らかの提供された識別情報と関連して位置推定を記憶することができる。ＳＡＳ１１０は、続いて、ＨＮＢ１０２のための記憶された位置推定を使用して、ＨＮＢ１０２の付近にあるまたはＨＮＢ１０２にアクセスしている可能性があるＵＥ（たとえば、ＵＥ１０４）の位置を特定する助けとすることができる。たとえば、ＳＡＳ１１０は、記憶された位置を使用して、ＵＥのために正確なＡ−ＧＮＳＳ衛星取得アシストデータを決定し、Ｅ−ＣＩＤ測定を使用して、またはＵＥをさらに測位することなくＵＥのための概ねの位置���定として、ＵＥの測位を補助することができる。
【００３８】
[0045]一実施形態では、たとえば、３ＧＰＰ  ＴＳ２５．３０５に定義されるように、ＨＮＢ１０２は、ＳＡＳセントリックモードでＵＥ測位をサポートするために使用されるＳＡＳ１１０と同じＰＣＡＰ相互作用をサポートすることができるという点において、図３に示されるＨＮＢ測位は、ＵＥのＳＡＳセントリック測位と合致することができる。ＨＮＢ１０２は、図３のステップ２においてＨＮＢ１０２のＳＡＳセントリック測位を呼び出すことができ、その測位能力（たとえば、ＵＥアシストおよび／またはＵＥベースか、ならびにどのＧＮＳＳシステムおよびＧＮＳＳ信号用であるかを含む、Ａ−ＧＮＳＳをサポートする能力）、現在のサービングセルＩＤ（たとえば、割り当てられたＨＮＢセルＩＤ）、および要求されるサービス品質をＳＡＳに提供することができる。ＳＡＳ１１０は、その後、ステップ４においてＰＣＡＰ測位起動要求をＨＮＢ１０２に返すことによって測位を呼び出すことができる。Ａ−ＧＮＳＳ測位が呼び出される場合、ＳＡＳ１１０は、ＨＮＢ１０２のＡ−ＧＮＳＳ測位能力と互換性があるこの応答にＡ−ＧＮＳＳアシストデータを含むことができる。一例では、（たとえば、ＳＡＳ１１０がＡ−ＧＮＳＳ取得アシストデータを計算することを可能にするために）ＨＮＢの最初の概ねの位置をＳＡＳ１１０に提供するために、少ないまたは全くない測定の要求とともに、ステップ４においてＳＡＳ１１０によってＥ−ＣＩＤ方法が呼び出され得る。少ないまたは全くないＥ−ＣＩＤ測定の要求が、ＰＣＡＰにおいて可能にされることがあり、たとえば図３のステップ２およびステップ３において送られるＰＣＡＰ測位開始要求にＨＮＢ識別値を含むことにより、ＳＡＳ１１０が測位はＨＮＢ１０２のためであることをわかっていることに基づかれ得る。一例では、ＨＮＢ１０２は、図３のステップ７においてＨＮＢによって送られるＳＡＳ１１０からのＥ−ＣＩＤ測位要求に応じて、ＨＮＢ１０２の最初の概ねの位置を含むことができる。ステップ８においてＳＡＳ１１０によって受信されるＥ−ＣＩＤ測定または概ねのＨＮＢ位置は、その後ＳＡＳ１１０によって使用されて、ＨＮＢ１０２のための好適なＡ−ＧＮＳＳアシストデータ（たとえば、好適なＡ−ＧＮＳＳ取得アシストデータ）を決定し、ＳＡＳ１１０が図３の、上述したステップ４から８を繰り返すことによって、ＨＮＢ１０２のためにＡ−ＧＮＳＳ測位を呼び出すことを可能にし得る。
【００３９】
[0046]一実施形態では、図２Ａ、図２Ｂ、および図３の説明に関連して上記で言及したＨＮＢ識別値は、ＨＮＢを示す特定のネットワークのための予約済み値に設定されたＩＭＳＩまたはＩＭＥＩであってよい。すべてのＨＮＢ（たとえば、ワイヤレスネットワーク１００のすべてのＨＮＢ）のＨＮＢ識別値に同じ予約済み値を使用することによって、ネットワーク構成が単純化され得る。たとえば、予約済み値は、製造時に各ＨＮＢでハードコーディングされ得る、または（たとえば、各ＨＮＢの初期化中に）各ＨＮＢで運用および保守（Ｏｐｅｒａｔｉｏｎｓ  ａｎｄ  Ｍａｉｎｔｅｎａｎｃｅ）によって構成され得る、または他の方法で（たとえば、ＨＮＢ  ＧＷ１０６によって）構成され得る。予約済み値は、ＳＡＳ１１０において同様に構成またはハードコーディングされ得る。予約済み値は、通常の移動局（たとえば、ＵＥ１０４）に割り当てられていない値であってよい、および／またはＩＭＳＩもしくはＩＭＥＩの標準的な定義により有効である値であってよい（たとえば、ＩＭＳＩの場合、６から１５桁の１０進数の数字、またはＩＭＥＩの場合１５桁の１６進数の数字を含むことができる）。予約済み値は、代わりに、ＩＭＳＩまたはＩＭＥＩの通常の定義による無効値、たとえば、ＩＭＳＩの場合、６桁未満の１０進数の数字、１５桁より多い１０進数の数字、もしくは１０から１５桁の範囲の１６進数の数字、またはＩＭＥＩの場合、１５桁未満のもしくは１５桁よりも多い１６進数の数字を含む値であってよい。無効値を含んだ予約済み値が、無効であることにより、または特定のタイプの無効値（たとえば、１０進数または１６進数の数字にある数の値またはある値を含んだ無効値）であることにより、ＨＮＢを示すものとしてＳＡＳ１１０によって認識され得る。いくつかの実施形態では、予約済み値は、正確に定義されないことがあるが、あるルールに正しく従うことができ、たとえば、ＩＭＳＩの場合、１０から１５桁の範囲の１６進数の数字の文字列を含むことができる。
【００４０】
[0047]図２Ａ、図２Ｂ、および図３と関連する方法によってＨＮＢの測位が例示されているが、同じ方法は、ＨＮＢ  ＧＷの測位（たとえば、ＨＮＢ  ＧＷ１０６）、ＲＮＣ、またはＰＣＡＰメッセージを使用してＳＡＳと相互に作用することができるその他のネットワーク要素に適用され得ることに注意されたい。測位されるネットワーク要素（たとえば、ＲＮＣまたはＨＮＢ  ＧＷ）は、その後、図２Ａ、図２Ｂ、および図３のＨＮＢ１０２に取って代わることになるが、図２Ａ、図２Ｂ、および図３についてＨＮＢ１０２に対して説明した同じ機能を行うことができる。
【００４１】
[0048]図４は、ＨＮＢ４００およびＳＡＳ４５０の設計のブロック図を示す。ＨＮＢ４００は、ＨＮＢ１０２であってよく、ＳＡＳ４５０は、図１、図２Ａ、図２Ｂ、および図３のＳＡＳ１１０であってよい。簡単にするために、図４は、ＨＮＢ４００のための１つのコントローラ／プロセッサ４０２、（たとえば、アンテナユニットを含むことができる）１つの送信機／受信機ユニット（ＴＭＴＲ／ＲＣＶＲ）４０４、１つの通信（Ｃｏｍｍ）ユニット４０６、および１つのメモリユニット（Ｍｅｍ）４０８、ならびにＳＡＳ４５０のためのコントローラ／プロセッサ４５２、通信ユニット４５６、および１つのメモリ（Ｍｅｍ）４５８を示す。一般に、ＨＮＢ４００およびＳＡＳ４５０は、任意の数のコントローラ、プロセッサ、メモリ、トランシーバ、および通信ユニットを含むことができる。
【００４２】
[0049]ＨＮＢ４００は、そのカバレッジ内のＵＥに、トラフィックデータ、シグナリング、ブロードキャスト情報、および／またはパイロットを送受信することができる。これらの様々なタイプのデータは、プロセッサ４０２によって処理され、送信機／受信機４０４によって調整され、ダウンリンクによって送信され得る。メモリ４０８は、ＨＮＢ４００のプログラムコードおよびデータを格納することができる。プロセッサ４０２は、図２Ａ、図２Ｂ、および図３のメッセージフローでＨＮＢ１０２のための処理を行うこともできる。ＨＮＢ４００は、ＨＮＢ  ＧＷ１０６などのＣｏｍｍユニット４０６を介して他のネットワークエンティティと通信することができる。
【００４３】
[0050]ＳＡＳ４５０内では、コントローラ／プロセッサ４５２は、位置特定サービスおよび測位をサポートするための処理を行うことができ、メモリ４５８は、進行処理（ｐｒｏｃｅｓｓｉｏｎ  ｐｒｏｃｅｓｓｉｎｇ）および通信のためのプログラムコードおよびデータを記憶することができ、通信ユニット４５６は、ＳＡＳ４５０がＨＮＢ  ＧＷ１０６およびＵＥ１０４などの他のエンティティと通信することを可能にすることができる。コントローラ／プロセッサ４５２は、図２Ａ、図２Ｂ、図３、および図７において中で説明するようなメッセージストリームの処理を行うことができ、および／または本明細書に記載されるように位置特定サービスをサポートするための処理を行うことができる。
【００４４】
[0051]図５は、ＨＮＢ４００またはＨＮＢ１０２のために位置特定サービスをサポートする処理５００を示し、示された段階を含む。しかしながら処理５００は例にすぎず、限定するものではない。処理５００は、たとえば段階を追加させ、削除させ、再配置させ、結合させ、同時に実施させることによって、および／または段階を複数の段階に分割させることによって、変えられ得る。一実施形態では、ＨＮＢ４００は、メモリ４０８に記憶されたプロセス５００に対応するプロセッサ実行可能命令を含むことができ、コントローラ／プロセッサ４０２は、命令を実行するように構成され得る。
【００４５】
[0052]段階５０２において、ＨＮＢ４００は、ＳＡＳ１１０にアシストデータを求めてＰＣＡＰ情報交換開始要求を送るように構成され得る。ＰＣＡＰ情報交換開始要求は、３ＧＰＰ  ＴＳ２５．４５３などの業界標準に準拠することができ、ＨＮＢ識別値を含むまたは含まないことがある。ＨＮＢ識別値は、含まれる場合は、ＰＣＡＰ情報交換開始要求がＨＮＢによって送られた（たとえば、さらにＲＮＣによって送られなかった）ことを示すことができ、その上にまたは代わりに、測位がＨＮＢに対するものである（たとえば、さらにＵＥに対するものではない）ことを示すことができ、および／またはＨＮＢ４００を一意に識別することができる（たとえば、ワイヤレスネットワーク１００の他のＨＮＢなど、ワイヤレスオペレータに属するその他のＨＮＢからＨＮＢ４００を識別し、区別することができる）。他の分類値が使用され得る。Ｃｏｍｍユニット４０６は、コントローラ／プロセッサ４０２で実行される命令に基づいてＰＣＡＰ情報交換開始要求を送るための手段であることが可能である。
【００４６】
[0053]段階５０４において、ＨＮＢ４００は、ＰＣＡＰ情報交換開始応答およびアシストデータを受信するように構成され得る。アシストデータは、ＨＮＢがより効率的にＧＮＳＳ衛星を捕捉し、測定することを可能にし、場合によりＧＮＳＳ測定に基づいてその位置を決定するためのＡ−ＧＮＳＳ情報であり得る。段階５０６において、ＨＮＢ４００は、アシストデータを利用して、ＧＮＳＳ衛星信号情報を取得することができる。ＧＮＳＳ衛星信号情報を取得する際にエラーまたは他の問題がある場合、ＨＮＢ４００は、さらなるアシストデータの要求を送るように構成され得る。Ｃｏｍｍユニット４０６は、ＰＣＡＰ情報交換開始応答を受信するための手段であることが可能であり、コントローラ／プロセッサ４０２で実行される命令に基づいて、さらなるアシストデータを受信するための手段であることが可能である。
【００４７】
[0054]段階５０８において、ＨＮＢ４００のコントローラ／プロセッサ４０２は、段階５０６で取得された衛星信号情報および段階５０４で受信されたアシストデータに基づいた位置であると決定するように構成され得る。ＨＮＢ４００の位置は、ローカルに（たとえば、メモリ４０８に）記憶されることが可能であり、および／あるいはＳＡＳ１１０または１つもしくは複数のＵＥに送られ得る。ＨＮＢ４００位置情報は、他のネットワークエンティティに（たとえば、ＨＮＢ管理システムに）送られることも可能である。
【００４８】
[0055]情報および信号は、多種多様な技術および技法のいずれかを使用して表され得ることを、当業者は理解するであろう。たとえば、上記の説明全体にわたって参照され得るデータ、命令、コマンド、情報、信号、ビット、シンボル、およびチップは、電圧、電流、電磁波、磁場または磁性粒子、光場または光粒子、あるいはそれらの任意の組合せによって表現され得る。
【００４９】
[0056]図６は、ＨＮＢ４００またはＨＮＢ１０２の位置を決定し、記憶するための処理６００を示し、示された段階を含む。しかしながら処理６００は例にすぎず、限定するものではない。処理６００は、たとえば段階を追加させ、削除させ、再配置させ、結合させ、同時に実施させるとによって、および／または段階を複数の段階に分割させることによって、変えられ得る。一実施形態では、ＨＮＢ４００は、メモリ４０８に記憶されたプロセス６００に対応するプロセッサ実行可能命令を含むことができ、コントローラ／プロセッサ４０２は、命令を実行するように構成され得る。
【００５０】
[0057]段階６０２において、プロセッサ４０２は、通信ユニット４０６に命令を提供し、測位のためにＳＡＳ１１０に向けて、ＨＮＢ識別値を含んだＰＣＡＰ測位開始要求を送るように構成され得る。ＨＮＢ識別値は、メモリ４０８に記憶されることが可能であり、（ｉ）ＳＡＳにメッセージの送信者をＨＮＢである（たとえば、さらにＲＮＣではない）と識別させることができる、（ｉｉ）ＳＡＳに測位がＨＮＢのために（たとえば、さらにＵＥのためではなく）要求されていることを決定させることができる、および／または（ｉｉｉ）（たとえば、シリアル番号、デバイス識別情報、ＩＰアドレス、ＭＡＣアドレス、ＳＳＩＤ、サービングセル識別情報、ＩＭＳＩもしくはＩＭＥＩを使用して）特定のＨＮＢを一意に識別することができる。動作において、ＳＡＳ１１０は、要求がＨＮＢからであることを認識する、および／または要求が、ＨＮＢ識別値に基づいたＨＮＢの測位を求めるものであることを認識するように構成され得る。一実施形態では、ＰＣＡＰ測位開始要求は、ＳＡＳ１１０に到達する前に、ＨＮＢ  ＧＷ１０６を通って流れることができる。
【００５１】
[0058]段階６０４において、ＨＮＢ４００は、Ａ−ＧＮＳＳのためのＰＣＡＰ測位起動要求を受信することができる。ＰＣＡＰ測位起動要求は、ＳＡＳ１１０から送られることが可能であり、ＨＮＢ  ＧＷ１０６を通って流れ得る。Ａ−ＧＮＳＳのためのＰＣＡＰ測位起動要求は、メモリ４０８に記憶され、衛星信号の捕捉および測定の助けとなるならびに／または衛星測定から位置を計算する助けとなるように使用されるアシストデータを含むことができる。たとえば、段階６０６においてＨＮＢは、１つまたは複数の衛星からＧＮＳＳ測定を取得するように構成され得る。たとえば、送信機／受信機４０４は、ＧＮＳＳ測定を取得するための手段を含むことができる。他のＧＮＳＳ受信機もまた使用され得る。アシストデータは、測位計算に使用される１つまたは複数の衛星を選択するために使用され得る。段階６０６において、ＨＮＢは、取得されたＧＮＳＳ測定および段階６０４で受信されたアシストデータに基づいて位置推定を計算することもできる。段階６０８において、ＨＮＢ４００は、Ａ−ＧＮＳＳのためのＰＣＡＰ起動応答を送るように構成され得る。応答は、ＧＮＳＳ測定および／または位置推定を含むことができる。ＳＡＳ１１０は、ＰＣＡＰ測位起動応答を処理して、ＨＮＢの位置を決定するように構成され得る。ＳＡＳは、ＨＮＢの位置を、たとえばセルＩＤなどのＨＮＢの識別情報と関連して、記憶するように構成され得る。
【００５２】
[0059]段階６１０において、ＨＮＢ４００は、ＳＡＳ１１０（またはＨＮＢ  ＧＷ１０６）からＰＣＡＰ測位開始応答を受信するように構成され得る。ＰＣＡＰ測位開始応答は、段階６０８でＨＮＢ４００によって提供されるＰＣＡＰ測位起動応答に含まれるＧＮＳＳ測定または位置推定に基づいてＳＡＳ１１０によって決定される、または検証されるようにＨＮＢ４００の位置を含むことができる。段階６１２において、ＨＮＢは、ＰＣＡＰ測位開始応答に基づいてＨＮＢの位置を記憶することができる。たとえば、位置は、メモリ４０８に記憶され得る。一実施形態では、ＨＮＢ４００の位置は、１つもしくは複数のＵＥに送られ得る、またはリモートのアルマナック（ａｌｍａｎａｃ）（たとえば、測位サーバ）に記憶され得る。
【００５３】
[0060]図７、ＰＣＡＰ情報交換要求からＨＮＢ識別情報を決定するためのプロセス７００が、示された段階を含む。しかしながら処理７００は例にすぎず、限定するものではない。処理７００は、たとえば段階を追加させ、削除させ、再配置させ、結合させ、同時に実施させることによって、および／または段階を複数の段階に分割させることによって、変えられ得る。一実施形態では、ＳＡＳ４５０は、メモリ４５８に記憶されたプロセス７００に対応するプロセッサ実行可能命令を含むことができ、コントローラ／プロセッサ４５２は、命令を実行するように構成され得る。
【００５４】
[0061]段階７０２において、ＳＡＳ４５０は、ＨＮＢ１０２またはＨＮＢ  ＧＷ１０６からＰＣＡＰメッセージを受信するように構成され得る。ＳＡＳ４５０は、コントローラ／プロセッサ４５２と、メモリ４５８とを含み、たとえばデータストリームを復号するためにコンピュータ可読命令を実行するように構成され得る。受信されるＰＣＡＰメッセージは、たとえば、ＨＮＢ１０２またはＨＮＢ４００から送られたＰＣＡＰ情報交換開始要求、ＰＣＡＰ測位計算要求、またはＰＣＡＰ測位開始要求であり得る。ＰＣＡＰメッセージは、ＨＮＢ識別値を含むことができる。段階７０４において、ＳＡＳ４５０は、受信されたメッセージに基づいてＨＮＢ識別値を決定するように構成され得る。ＳＡＳ４５０は、ＨＮＢ識別値を利用して、メッセージの送信者をＨＮＢであると識別することができる。一実施形態では、ＳＡＳ４５０は、ＨＮＢ識別値に基づいて（たとえば、シリアル番号、デバイス識別情報、ＩＰアドレス、ＭＡＣアドレス、ＳＳＩＤ、サービングセル識別情報、ＩＭＳＩまたはＩＭＥＩを使用して）特定のＨＮＢを一意に識別することができる。さらなる実施形態では、ＳＡＳ４５０は、ＨＮＢ識別値に基づいて、受信されたＰＣＡＰメッセージはＵＥの測位ではなくＨＮＢの測位をサポートするために送られたと決定することができる。
【００５５】
[0062]段階７０６において、ＳＡＳ４５０は、受信されたＰＣＡＰメッセージに基づいてＰＣＡＰ応答を送ることができる。ＰＣＡＰ応答は、ＰＣＡＰ情報交換開始応答、ＰＣＡＰ測位計算応答、ＰＣＡＰ測位起動要求、ＰＣＡＰ測位開始応答、またはその他の応答であり得る。一実施形態では、ＨＮＢ識別値は、段階７０２において受信されたＰＣＡＰメッセージ中のクライアントタイプパラメータに特定の値を備えることができる、あるいは予約済みＩＭＳＩもしくはＩＭＥＩ値または共通の予約済みＩＭＳＩもしくはＩＭＥＩ値を備えることができる。ＳＡＳ４５０は、その後、測位はＨＮＢのためであることを認識することができ、ＨＮＢによってサポートされることが可能ではない要求応答を送らないように構成され得る（たとえば、ＳＡＳ４５０は、いくつかのＥ−ＣＩＤ測定の要求を送らないことがある）。図７に破線で示すように一実施形態では、段階７０２および段階７０４は、たとえば、ＳＡＳ４５０がＨＮＢからＧＮＳＳ測定またはアシストデータの要求を受信すること、およびそれぞれＧＮＳＳ測定から位置を計算することまたは要求されたアシストデータをＨＮＢに提供することを可能にするために、１または複数回繰り返されることがある。
【００５６】
[0063]段階７０８は、破線で示され、オプションのステップと見なされる。ＳＡＳ４５０は、位置情報、たとえばＨＮＢのための位置推定を記憶するように構成され得る。たとえば、段階７０２および段階７０６が繰り返される場合、ＳＡＳ４５０は、ステージ７０２の繰返しの間にＨＮＢからＡ−ＧＮＳＳのためのＰＣＡＰ測位起動応答を受信することができ、ＳＡＳ４５０は、その後ＨＮＢ１０２のための位置推定を計算するように構成され得る。ＳＡＳ４５０は、続いてローカルに（すなわち、ローカルメモリに）位置推定を記憶することができる、または将来の測位計算で使用するために別のネットワークリソース（たとえば、測位サーバもしくは他のアルマナック）に位置推定を提供することができる。ＨＮＢのための位置推定は、ＨＮＢによって提供されるセルＩＤまたはＨＮＢのための一意のＩＭＳＩまたはＩＭＥＩ値など、ＨＮＢのための識別情報と関連してＳＡＳ４５０によって記憶および／または提供され得る。
【００５７】
[0064]本明細書で開示と関連して説明した様々な例示的論理ブロック、モジュール、回路、およびアルゴリズムステップは、電子ハードウェア、コンピュータソフトウェア、または両方の組合せとして実装され得ることは、当業者にはさらに理解されよう。ハードウェアとソフトウェアのこのような互換性を明確に示すために、様々な例示的な構成要素、ブロック、モジュール、回路、およびステップについて、上記では概してその機能に関して説明した。そのような機能がハードウェアとして実装されるか、ソフトウェアとして実装されるかは、特定の用途およびシステム全体に課される設計の制約によって決まる。当業者は、説明した機能を特定の用途ごとに様々な方法で実装し得るが、そのような実装の決定は、本開示の範囲からの逸脱を生じさせると解釈されるべきではない。
【００５８】
[0065]本明細書の開示と関連して説明する様々な例示的論理ブロック、モジュール、および回路は、汎用プロセッサ、デジタルシグナルプロセッサ（ＤＳＰ）、特定用途用集積回路（ＡＳＩＣ）、フィールドプログラマブルゲートアレイ（ＦＰＧＡ：ｆｉｅｌｄ  ｐｒｏｇｒａｍｍａｂｌｅ  ｇａｔｅ  ａｒｒａｙ）もしくは他のプログラマブルロジックデバイス（ｐｒｏｇｒａｍｍａｂｌｅ  ｌｏｇｉｃ  ｄｅｖｉｃｅ）、個別のゲートもしくはトランジスタロジック、個別のハードウェア構成要素、または、本明細書で説明した機能を行うように設計された、これらの任意の組合せで、実装または実行され得る。汎用プロセッサは、マイクロプロセッサであり得るが、代替としてプロセッサは、任意の従来のプロセッサ、コントローラ、マイクロコントローラ、または状態機械であり得る。また、プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実現され得る。
【００５９】
[0066]本明細書の開示と関連して記載した方法またはアルゴリズムのステップは、直接ハードウェアで、プロセッサで実行されるソフトウェアモジュールで、またはこの２つの組合せで、具体化されることが可能である。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野で知られている任意の他の形態の記憶媒体中に存在し得る。例示の記憶媒体は、プロセッサが記憶媒体（すなわち、プロセッサ可読記憶媒体）から情報を読み取る、および記憶媒体に情報を書き込むことができるように、プロセッサに連結され、プロセッサ可読命令を含む。代替として記憶媒体は、プロセッサと一体化され得る。プロセッサおよび記憶媒体は、ＡＳＩＣ内に存在し得る。ＡＳＩＣはユーザ端末中に存在し得る。代替としてプロセッサおよび記憶媒体は、ユーザ端末内の個別構成要素として存在し得る。
【００６０】
[0067]１つまたは複数の例示的設計では、記載した機能は、ハードウェア、ソフトウェア、ファームウェア、またはこれらの任意の組合せに実装され得る。ソフトウェアに実装される場合、機能は、コンピュータ可読媒体に１つもしくは複数の命令またはコードとして記憶され得る。コンピュータ可読媒体は、一時的な伝搬信号を指さない（たとえば、それは非一時的であり得る）。記憶媒体は、汎用または特殊用途用のコンピュータでアクセスされ得る任意の入手可能な媒体であり得る。限定ではなく例として、そのようなコンピュータ可読媒体は、命令またはデータ構造の形態の所望のプログラムコード手段を記憶するために使用され得、汎用もしくは専用コンピュータ、または汎用もしくは専用プロセッサによってアクセスされ得る、ＲＡＭ、ＲＯＭ、ＥＥＰＲＯＭ、ＣＤ−ＲＯＭ、もしくは他の光ディスクストレージ、磁気ディスクストレージもしくは他の磁気ストレージデバイス、またはその他の媒体を備えることができる。本明細書で使用するディスク（ｄｉｓｋ）およびディスク（ｄｉｓｃ）は、コンパクトディスク（ＣＤ：ｃｏｍｐａｃｔ  ｄｉｓｃ）、レーザーディスク（登録商標）（ｌａｓｅｒ  ｄｉｓｃ）、光ディスク（ｏｐｔｉｃａｌ  ｄｉｓｃ）、デジタルバーサタイルディスク（ＤＶＤ：ｄｉｇｉｔａｌ  ｖｅｒｓａｔｉｌｅ  ｄｉｓｃ）、フロッピー（登録商標）ディスク（ｆｌｏｐｐｙ  ｄｉｓｋ）、およびブルーレイ（登録商標）ディスク（ｂｌｕ−ｒａｙ（登録商標）  ｄｉｓｃ）を含み、ディスク（ｄｉｓｋ）は通常、データを磁気的に再生し、ディスク（ｄｉｓｃ）はレーザーを使用して、データを光学的に再生する。上記の組合せもコンピュータ可読媒体の範囲内に含まれるべきである。
【００６１】
[0068]本開示の以上の説明は、いかなる当業者も本開示を作成または使用することが可能となるように提供される。本開示への様々な修正は当業者には容易に明らかになり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
以下に、出願当初の特許請求の範囲に記載された発明を付記する。
［Ｃ１］
ホームノードＢ（ＨＮＢ）の位置を決定する方法であって、
測位のためにスタンドアロンサービングモバイル位置特定センター（ＳＡＳ）に向けて、ＨＮＢ識別値を含んだ測位計算アプリケーション部（ＰＣＡＰ）測位開始要求を送ることと、
アシスト全地球航法衛星システム（Ａ−ＧＮＳＳ）のためのＰＣＡＰ測位起動要求を受信することと、
前記ＨＮＢにおいてＧＮＳＳ測定を取得することと、
Ａ−ＧＮＳＳのためのＰＣＡＰ測位起動応答を送ることと、
ＰＣＡＰ測位起動応答を受信することと、
前記ＰＣＡＰ測位開始応答に基づいて前記ＨＮＢの前記位置を記憶することとを備える、方法。
［Ｃ２］
前記ＳＡＳに向けてさらなるアシストデータの要求を送ることと、
前記要求に基づいて前記さらなるアシストデータを受信することとをさらに備える、Ｃ１に記載の方法。
［Ｃ３］
Ａ−ＧＮＳＳのための前記ＰＣＡＰ測位起動要求および前記ＰＣＡＰ測位開始応答が、ＨＮＢゲートウェイ（ＧＷ）から受信される、Ｃ１に記載の方法。
［Ｃ４］
前記ＨＮＢ識別値が、クライアントタイプパラメータの値を含む、Ｃ１に記載の方法。
［Ｃ５］
前記ＨＮＢ識別値が、ＨＮＢの位置を前記ＳＡＳに示す、Ｃ４に記載の方法。
［Ｃ６］
前記ＨＮＢの前記位置の表示に応じて、前記ＳＡＳが前記ＨＮＢの前記位置を記憶する、Ｃ５に記載の方法。
［Ｃ７］
前記ＨＮＢ識別値が、共通の予約済み国際モバイル加入者識別番号（ＩＭＳＩ）または国際モバイル装置識別番号（ＩＭＥＩ）値を備える、Ｃ１に記載の方法。
［Ｃ８］
前記ＰＣＡＰ測位起動要求を受信することが、前記ＳＡＳからの拡張セルＩＤ（Ｅ−ＣＩＤ）測定の要求を含み、前記ＰＣＡＰ測位起動応答が、前記ＳＡＳへ前記ＨＮＢの概ねの位置を返すことを含む、Ｃ１に記載の方法。
［Ｃ９］
ホームノードＢ（ＨＮＢ）の位置を決定するための装置であって、
命令を記憶するためのメモリユニットと、
前記メモリユニットに結合され、
測位のためにスタンドアロンサービングモバイル位置特定センター（ＳＡＳ）に向けて、ＨＮＢ識別値を含んだ測位計算アプリケーション部（ＰＣＡＰ）測位開始要求を送り、
アシスト全地球航法衛星システム（Ａ−ＧＮＳＳ）のためのＰＣＡＰ測位起動要求を受信し、
前記ＨＮＢにおいてＧＮＳＳ測定を取得し、
Ａ−ＧＮＳＳのためのＰＣＡＰ測位起動応答を送り、
ＰＣＡＰ測位開始応答を受信し、
前記ＰＣＡＰ測位開始応答に基づいて前記メモリユニットに前記ＨＮＢの前記位置を記憶する
ように構成された、プロセッサおよび通信ユニットとを備える、装置。
［Ｃ１０］
前記プロセッサおよび通信ユニットが、
前記ＳＡＳに向けてさらなるアシストデータの要求を送り、
前記要求に基づいて前記さらなるアシストデータを受信するようにさらに構成される、Ｃ９に記載の装置。
［Ｃ１１］
Ａ−ＧＮＳＳのための前記ＰＣＡＰ測位起動要求および前記ＰＣＡＰ測位開始応答が、ＨＮＢゲートウェイ（ＧＷ）から受信される、Ｃ９に記載の装置。
［Ｃ１２］
前記ＨＮＢ識別値が、クライアントタイプパラメータの値を備える、Ｃ９に記載の装置。
［Ｃ１３］
前記ＨＮＢ識別値が、前記ＳＡＳに前記ＨＮＢの前記位置を示す、Ｃ１２に記載の装置。
［Ｃ１４］
前記ＨＮＢの前記位置の表示に応じて、前記ＳＡＳが前記ＨＮＢの前記位置を記憶する、Ｃ１３に記載の装置。
［Ｃ１５］
前記ＨＮＢ識別値が、共通の予約済み国際モバイル加入者識別番号（ＩＭＳＩ）または国際モバイル装置識別番号（ＩＭＥＩ）値を備える、Ｃ９に記載の装置。
［Ｃ１６］
前記ＰＣＡＰ測位起動要求を受信することが、前記ＳＡＳからの拡張セルＩＤ（Ｅ−ＣＩＤ）測定の要求を含み、前記ＰＣＡＰ測位起動応答が、前記ＳＡＳへ前記ＨＮＢの概ねの位置を返すことを含む、Ｃ９に記載の装置。
［Ｃ１７］
ホームノードＢ（ＨＮＢ）の位置を決定するための命令を備える非一時的プロセッサ可読記憶媒体であって、前記命令が、
測位のためにスタンドアロンサービングモバイル位置特定センター（ＳＡＳ）に向けて、ＨＮＢ識別値を含んだ測位計算アプリケーション部（ＰＣＡＰ）測位開始要求を送るためのコードと、
アシスト全地球航法衛星システム（Ａ−ＧＮＳＳ）のためのＰＣＡＰ測位起動要求を受信するためのコードと、
前記ＨＮＢにおいてＧＮＳＳ測定を取得するためのコードと、
Ａ−ＧＮＳＳのためのＰＣＡＰ測位起動応答を送るためのコードと、
ＰＣＡＰ測位開始応答を受信するためのコードと、
前記ＰＣＡＰ測位開始応答に基づいて前記ＨＮＢの前記位置を記憶するためのコードとを備える、非一時的プロセッサ可読記憶媒体。
［Ｃ１８］
前記ＳＡＳに向けてさらなるアシストデータの要求を送るためのコードと、
前記要求に基づいて前記さらなるアシストデータを受信するためのコードとをさらに備える、Ｃ１７に記載の非一時的プロセッサ可読記憶媒体。
［Ｃ１９］
Ａ−ＧＮＳＳのための前記ＰＣＡＰ測位起動要求および前記ＰＣＡＰ測位開始応答が、ＨＮＢゲートウェイ（ＧＷ）から受信される、Ｃ１７に記載の非一時的プロセッサ可読記憶媒体。
［Ｃ２０］
前記ＨＮＢ識別値が、クライアントタイプパラメータの値を含む、Ｃ１７に記載の非一時的プロセッサ可読記憶媒体。
［Ｃ２１］
前記ＨＮＢ識別値が、前記ＳＡＳに前記ＨＮＢの前記位置を示す、Ｃ２０に記載の非一時的プロセッサ可読記憶媒体。
［Ｃ２２］
前記ＰＣＡＰ測位起動要求を受信するための前記コードが、前記ＳＡＳから拡張セルＩＤ（Ｅ−ＣＩＤ）測定の要求を受信するためのコード、および前記ＰＣＡＰ測位起動応答によって前記ＳＡＳに前記ＨＮＢの概ねの位置を返すためのコードを含む、Ｃ１７に記載の非一時的プロセッサ可読記憶媒体。
［Ｃ２３］
ホームノードＢ（ＨＮＢ）の位置を決定するための装置であって、
測位のためにスタンドアロンサービングモバイル位置特定センター（ＳＡＳ）に向けて、ＨＮＢ識別値を含んだ測位計算アプリケーション部（ＰＣＡＰ）測位開始要求を送るための手段と、
アシスト全地球航法衛星システム（Ａ−ＧＮＳＳ）のためのＰＣＡＰ測位起動要求を受信するための手段と、
前記ＨＮＢでＧＮＳＳ測定を取得するための手段と、
Ａ−ＧＮＳＳのためのＰＣＡＰ測位起動応答を送るための手段と、
ＰＣＡＰ測位開始応答を受信するための手段と、
前記ＰＣＡＰ測位開始応答に基づいて前記ＨＮＢの前記位置を記憶するための手段とを備える、装置。
［Ｃ２４］
前記ＳＡＳに向けてさらなるアシストデータの要求を送るための手段と、
前記要求に基づいて前記さらなるアシストデータを受信するための手段とをさらに備える、Ｃ２３に記載の装置。
［Ｃ２５］
Ａ−ＧＮＳＳのための前記ＰＣＡＰ測位起動要求および前記ＰＣＡＰ測位開始応答が、ＨＮＢゲートウェイ（ＧＷ）から受信される、Ｃ２３に記載の装置。
［Ｃ２６］
前記ＨＮＢ識別値が、クライアントタイプパラメータの値を備える、Ｃ２３に記載の装置。
［Ｃ２７］
前記ＨＮＢ識別値が、前記ＳＡＳに前記ＨＮＢの前記位置を示す、Ｃ２６に記載の装置。
［Ｃ２８］
前記ＨＮＢの前記位置の表示に応じて、前記ＳＡＳが前記ＨＮＢの前記位置を記憶する、Ｃ２７に記載の装置。
［Ｃ２９］
前記ＨＮＢ識別値が、共通の予約済み国際モバイル加入者識別番号（ＩＭＳＩ）または国際モバイル装置識別番号（ＩＭＥＩ）値を備える、Ｃ２３に記載の装置。
［Ｃ３０］
前記ＳＡＳから拡張セルＩＤ（Ｅ−ＣＩＤ）測定の要求を含んだ前記ＰＣＡＰ測位起動要求を受信するための手段と、
前記ＳＡＳに前記ＨＮＢの概ねの位置を含んだ前記ＰＣＡＰ測位起動応答を返すための手段とをさらに備える、Ｃ２３に記載の装置。
【図１】
0006522587.tif 000002
【図２Ａ】
0006522587.tif 000003
【図２Ｂ】
0006522587.tif 000004
【図３】
0006522587.tif 000005
【図４】
0006522587.tif 000006
【図５】
0006522587.tif 000007
【図６】
0006522587.tif 000008
【図７】
0006522587.tif 000009